(57)【要約】      （修正有）【課題】作業場で作業中の勤労者の位置を確認し、より迅速に勤労者の事故に対処できる現場安全管理システム及び装置を提供する。【解決手段】現場安全管理システム１０は、第１ボディー１１０及び第１ボディー１１０と連結、分離可能な第２ボディー１２０とで構成された携帯装置１００と、第１ボディー１１０及び第２ボディー１２０の分離によって携帯装置１００から送出される救助要請信号を受信する少なくとも一つの電子装置１５０が受信した救助要請信号に基づいて高度を含む現在位置を確認して現場地図データに現在位置を表示する管理装置２００と、を備える。【選択図】図１
2022002070.tif 000002
【特許請求の範囲】
【請求項１】
第１ボディーおよび前記第１ボディーと連結および分離可能な第２ボディーで構成された携帯装置；
前記第１ボディーおよび前記第２ボディーの分離によって前記携帯装置から送出される救助要請信号を受信する少なくとも一つの電子装置；および
前記少なくとも一つの電子装置から受信された前記救助要請信号に基づいて、高度を含む現在位置を確認して現場地図データに前記現在位置を表示する管理装置；を含むことを特徴とする、現場安全管理システム。
【請求項２】
前記少なくとも一つの電子装置は、
前記現在位置の高度と関連した気圧データを獲得する気圧センサと前記現在位置と関連した位置データを獲得する位置追跡センサを具備することを特徴とする、請求項１に記載の現場安全管理システム。
【請求項３】
前記救助要請信号の受信時に、前記少なくとも一つの電子装置のうち前記携帯装置が登録された第１電子装置は、前記第１電子装置に備えられたカメラおよびマイクのうち少なくとも一つを活性化して環境データを獲得することを特徴とする、請求項２に記載の現場安全管理システム。
【請求項４】
前記救助要請信号の受信時に、前記少なくとも一つの電子装置のうち前記携帯装置が登録された第１電子装置を除いた少なくとも一つの第２電子装置は、前記第２電子装置に備えられたカメラおよびマイクのうち少なくとも一つを活性化して環境データを獲得することを特徴とする、請求項３に記載の現場安全管理システム。
【請求項５】
前記管理装置は、
前記少なくとも一つの電子装置から前記救助要請信号が受信されると警報を出力し、既保存された連絡先に前記救助要請信号を伝送することを特徴とする、請求項４に記載の現場安全管理システム。
【請求項６】
前記管理装置は、
前記第１電子装置から受信された前記環境データをダウンロードして出力することを特徴とする、請求項５に記載の現場安全管理システム。
【請求項７】
前記管理装置は、
前記現在位置に基づいて臨界半径内に位置した少なくとも一つの電子装置に、前記救助要請信号と関連したメッセージを伝送することを特徴とする、請求項１に記載の現場安全管理システム。
【請求項８】
前記携帯装置は、
現在位置の高度と関連した気圧データを獲得する気圧センサと現在位置と関連した位置データを獲得する位置追跡センサを具備することを特徴とする、請求項１に記載の現場安全管理システム。
【請求項９】
第１ボディーと第２ボディーの分離によって救助要請信号を送出する携帯装置から送出される救助要請信号を受信する少なくとも一つの電子装置と通信を遂行する通信部；
前記少なくとも一つの電子装置との通信に基づいて高度を含む現在位置を確認する制御部；および
現場地図データに前記確認された現在位置を表示する表示部；を含むことを特徴とする、現場安全管理装置。
【請求項１０】
前記制御部は、
前記少なくとも一つの電子装置に備えられた気圧センサと位置追跡センサからそれぞれ獲得された前記現在位置の高度と関連した気圧データおよび前記現在位置と関連した位置データに基づいて前記現在位置を確認することを特徴とする、請求項９に記載の現場安全管理装置。
【請求項１１】
前記制御部は、
前記携帯装置が登録された第１電子装置から前記救助要請信号の受信時に、前記第１電子装置に備えられたカメラおよびマイクのうち少なくとも一つから獲得された環境データを受信して確認することを特徴とする、請求項１０に記載の現場安全管理装置。
【請求項１２】
前記制御部は、
前記第１電子装置を除いた少なくとも一つの第２電子装置から前記救助要請信号の受信時に、前記第２電子装置で獲得された環境データを受信して確認することを特徴とする、請求項１１に記載の現場安全管理装置。
【請求項１３】
前記制御部は、
前記救助要請信号が受信されると既保存された連絡先に前記救助要請信号を伝送することを特徴とする、請求項１０に記載の現場安全管理装置。
【請求項１４】
前記制御部は、
前記現在位置に基づいて臨界半径内に位置した少なくとも一つの電子装置に、前記救助要請信号と関連したメッセージを伝送することを特徴とする、請求項１０に記載の現場安全管理装置。
【請求項１５】
前記制御部は、
前記携帯装置に備えられた気圧センサと位置追跡センサからそれぞれ獲得された前記現在位置の高度と関連した気圧データおよび前記現在位置と関連した位置データに基づいて前記現在位置を確認することを特徴とする、請求項９に記載の現場安全管理装置。
【発明の詳細な説明】
【技術分野】
【０００１】
本発明は現場の安全管理のためのシステムおよび装置に関する。
【背景技術】
【０００２】
建設の作業現場は、多数の作業勤労者が作業中に火災や転倒や墜落して怪我するなどの危険要因に露出される所であって、作業勤労者たちに対する安全を保障できる程度の管理システムを提供しなければならない。このために、現在は現場の特定の領域にＣＣＴＶ（ｃｌｏｓｅｄ  ｃｉｒｃｕｉｔ  ｔｅｌｅｖｉｓｉｏｎ）等を設置して、危険の有無および作業の現況などをモニタリングして警告放送を通じて危険の有無などを勤労者たちに通知している。
【０００３】
しかし、警告放送の場合、作業による騒音のため危険な状況に露出した勤労者が警告を認識できない問題点が発生したり、ＣＣＴＶの死角地帯などで発生する危険の有無などを確認できない問題点が発生する。
【０００４】
これを解決するための方法として、韓国登録特許第０７７９７２７号がある。特許文献韓国登録特許第０７７９７２７号は、勤労者の安全帽に付着されて勤労者の位置を識別するＲＦＩＤ（ｒａｄｉｏ  ｆｒｅｑｕｅｎｃｙ  ｉｄｅｎｔｉｆｉｃａｔｉｏｎ）タグを利用して作業機械周辺の危険領域を管理し、作業場の安全事故を防止するシステムに関する。
【０００５】
しかし、このようなシステムは勤労者の位置を確認するためにＲＦＩＤ信号を受信できる受信機を現場の数多くの場所に設置しなければならない煩わしさがあり、勤労者に事故が発生した場合、リアルタイムで確認することが難しいため、事故に即時対処し難い問題点が発生する。
【発明の概要】
【発明が解決しようとする課題】
【０００６】
このような従来の問題点を解決するための本発明の実施例は、携帯装置から救助要請信号が送出されると、管理者は特定高度の作業場で作業中の勤労者の現在位置に対するセンシングが可能な携帯装置および電子装置のうち、少なくとも一つの装置から受信されたセンシングデータを利用して勤労者の位置を確認し、より迅速に勤労者の事故に対処できる現場安全管理システムおよび装置を提供することである。
【０００７】
さらに、本発明の実施例は携帯装置から救助要請信号が送出されると、周辺に位置した他の勤労者たちが携帯している電子装置で救助要請信号を受信して管理者に提供することによって、現場に救助要請信号を受信するための受信機などの設置を最小化できる現場安全管理システムおよび装置を提供することである。
【課題を解決するための手段】
【０００８】
本発明の実施例に係る現場安全管理システムは、第１ボディーおよび前記第１ボディーと連結および分離可能な第２ボディーで構成された携帯装置、前記第１ボディーおよび前記第２ボディーの分離によって前記携帯装置から送出される救助要請信号を受信する少なくとも一つの電子装置および前記少なくとも一つの電子装置から受信された前記救助要請信号に基づいて、高度を含む現在位置を確認して現場地図データに前記現在位置を表示する管理装置を含むことを特徴とする。
【０００９】
また、少なくとも一つの電子装置は、前記現在位置の高度と関連した気圧データを獲得する気圧センサと前記現在位置と関連した位置データを獲得する位置追跡センサを具備することを特徴とする。
【００１０】
また、救助要請信号受信時に前記少なくとも一つの電子装置のうち前記携帯装置が登録された第１電子装置は、前記第１電子装置に備えられたカメラおよびマイクのうち少なくとも一つを活性化して環境データを獲得することを特徴とする。
【００１１】
また、救助要請信号受信時に前記少なくとも一つの電子装置のうち前記携帯装置が登録された第１電子装置を除いた少なくとも一つの第２電子装置は、前記第２電子装置に備えられたカメラおよびマイクのうち少なくとも一つを活性化して環境データを獲得することを特徴とする。
【００１２】
また、管理装置は、前記少なくとも一つの電子装置から前記救助要請信号が受信されると警報を出力し、既保存された連絡先に前記救助要請信号を伝送することを特徴とする。
【００１３】
また、管理装置は、前記第１電子装置から受信された前記環境データをダウンロードして出力することを特徴とする。
【００１４】
また、管理装置は、前記現在位置に基づいて臨界半径内に位置した少なくとも一つの電子装置に、前記救助要請信号と関連したメッセージを伝送することを特徴とする。
【００１５】
また、携帯装置は、現在位置の高度と関連した気圧データを獲得する気圧センサと現在位置と関連した位置データを獲得する位置追跡センサを具備することを特徴とする。
【００１６】
併せて、本発明の実施例に係る現場安全管理装置は、第１ボディーと第２ボディーの分離によって救助要請信号を送出する携帯装置から送出される救助要請信号を受信する少なくとも一つの電子装置と通信を遂行する通信部、前記少なくとも一つの電子装置との通信に基づいて高度を含む現在位置を確認する制御部および現場地図データに前記確認された現在位置を表示する表示部を含むことを特徴とする。
【００１７】
また、制御部は、前記少なくとも一つの電子装置に備えられた気圧センサと位置追跡センサからそれぞれ獲得された前記現在位置の高度と関連した気圧データおよび前記現在位置と関連した位置データに基づいて前記現在位置を確認することを特徴とする。
【００１８】
また、制御部は、前記携帯装置が登録された第１電子装置から前記救助要請信号の受信時に、前記第１電子装置に備えられたカメラおよびマイクのうち少なくとも一つから獲得された環境データを受信して確認することを特徴とする。
【００１９】
また、制御部は、前記第１電子装置を除いた少なくとも一つの第２電子装置から前記救助要請信号の受信時に、前記第２電子装置で獲得された環境データを受信して確認することを特徴とする。
【００２０】
また、制御部は、前記救助要請信号が受信されると既保存された連絡先に前記救助要請信号を伝送することを特徴とする。
【００２１】
また、制御部は、前記現在位置に基づいて臨界半径内に位置した少なくとも一つの電子装置に、前記救助要請信号と関連したメッセージを伝送することを特徴とする。
【００２２】
また、制御部は、前記携帯装置に備えられた気圧センサと位置追跡センサからそれぞれ獲得された前記現在位置の高度と関連した気圧データおよび前記現在位置と関連した位置データに基づいて前記現在位置を確認することを特徴とする。
【発明の効果】
【００２３】
前述した通り、本発明に係る現場安全管理システムおよび装置は、携帯装置から救助要請信号が送出されると、管理者は特定高度の作業場で作業中の勤労者の現在位置に対するセンシングが可能な携帯装置および電子装置のうち、少なくとも一つの装置から受信されたセンシングデータを利用して勤労者の位置を確認することによって、より迅速に勤労者の事故に対処できる効果がある。
【００２４】
また、本発明に係る現場安全管理システムおよび装置は、携帯装置で救助要請信号が送出されると、周辺に位置した他の勤労者たちが携帯している電子装置で救助要請信号を受信して管理者に提供することによって、現場に救助要請信号を受信するための受信機などの設置を最小化できる効果がある。
【図面の簡単な説明】
【００２５】
【図１】本発明の実施例に係る現場安全管理システムを示した図面である。
【図２】本発明の実施例に係る管理装置を示した図面である。
【図３】本発明の実施例に係る現場安全管理方法を説明するためのフローチャートである。
【図４】本発明の実施例に係る管理装置で現場安全管理を遂行する方法を説明するためのフローチャートである。
【図５】本発明の実施例に係る管理装置で表示される画面例示図である。
【図６】本発明の実施例に係る管理装置で表示される画面例示図である。
【図７】本発明の実施例に係る管理装置で表示される画面例示図である。
【図８】本発明の実施例に係る管理装置で表示される画面例示図である。
【図９】本発明の他の実施例に係る現場安全管理方法を説明するためのフローチャートである。
【発明を実施するための形態】
【００２６】
以下、本発明に係る好ましい実施形態を添付された図面を参照して詳細に説明する。添付された図面と共に以下に開示される詳細な説明は、本発明の例示的な実施形態を説明しようとするものであって、本発明が実施され得る唯一の実施形態を示そうとするものではない。図面で本発明を明確に説明するために、説明に関わらない部分は省略することができ、明細書全体を通じて同一または類似する構成要素に対しては同じ参照符号を使うことができる。
【００２７】
本発明の一実施例で、「または」、「少なくとも一つ」等の表現は共に羅列された単語のうち一つを示したり、または二以上の組み合わせを示すことができる。例えば、「ＡまたはＢ」、「ＡおよびＢのうち少なくとも一つ」はＡまたはＢのうち一つのみを含むことができ、ＡとＢの両方を含むこともできる。
【００２８】
図１は、本発明の実施例に係る現場安全管理システムを示した図面である。
【００２９】
図１を参照すると、本発明に係るシステム１０は携帯装置１００、複数の電子装置１５０および管理装置２００を含むことができる。
【００３０】
携帯装置１００はプロセッサ（図示せず）を含み、携帯装置１００のプロセッサはビーコン（ｂｅａｃｏｎ）通信を通じて電子装置１５０との通信を遂行するようにビーコン通信モジュール（図示せず）を制御する。携帯装置１００のプロセッサはビーコン通信モジュールを制御して持続的にビーコン信号を送出する。携帯装置１００は第１ボディー１１０と第２ボディー１２０で具現され得る。携帯装置１００のプロセッサは第１ボディー１１０が第２ボディー１２０から分離されたことが確認されると救助要請信号を生成し、救助要請信号をビーコン信号に乗せて送出する。
【００３１】
現場で勤める勤労者は携帯装置１００の第１ボディー１１０に連結されたストラップ１１１を利用して携帯装置１００を使用者の衣服や持ち物などに装着することができ、長いストラップを利用して携帯装置１００をネックレスのように着用することができる。第１ボディー１１０には突出部（図示せず）が形成されて第２ボディー１２０に形成された挿入部（図示せず）に締結されることによって第１ボディー１１０と第２ボディー１２０が連結され得、突出部が挿入部から離脱することによって第１ボディー１１０が第２ボディー１２０から分離され得る。また、第１ボディー１１０および第２ボディー１２０は締結のための挿入部および突出部なしに磁性によって連結および分離されるように磁石などが備えられてもよい。
【００３２】
複数の電子装置１５０は第１電子装置１５１、第２電子装置１５２〜第ｎ電子装置１５３を含むことができる。複数の電子装置１５０それぞれには携帯装置が登録され得る。例えば、第１電子装置１５１には携帯装置１００が登録され得、第２電子装置１５２には第２携帯装置（図示せず）が登録され得、第ｎ電子装置１５３には第ｎ携帯装置（図示せず）が登録され得る。この時、電子装置１５０はスマートフォン、タブレットＰＣ（ｐｅｒｓｏｎａｌ  ｃｏｍｐｕｔｅｒ）等の現場に勤務する勤労者が携帯する装置であって、現場安全管理アプリケーションを設置して管理装置２００との通信を遂行する。
【００３３】
電子装置１５０はプロセッサ（図示せず）を含み、電子装置１５０のプロセッサはビーコン通信が可能な距離内に位置した携帯装置１００からビーコン信号が受信されると、該当ビーコン信号に含まれた救助要請信号を管理装置２００に伝送する。この時、電子装置１５０は電子装置１５０に備えられた気圧センサ（図示せず）および位置追跡センサ（ＧＰＳ；ｇｌｏｂａｌ  ｐｏｓｉｔｉｏｎｉｎｇ  ｓｙｓｔｅｍ）を活性化して、それぞれのセンサで獲得されたセンシングデータを救助要請信号に含ませて管理装置２００に伝送する。センシングデータは気圧センサで獲得された電子装置１５０が存在する位置の高度を確認できる気圧データと位置追跡センサで獲得された電子装置１５０が存在する位置を確認できる位置データを含むことができる。このために、電子装置１５０はスマートフォン、タブレットＰＣなどの携帯用装置で５Ｇ（５ｔｈ  ｇｅｎｅｒａｔｉｏｎ）、ＬＴＥ−Ａ（ｌｏｎｇ  ｔｅｒｍ  ｅｖｏｌｕｔｉｏｎ−ａｄｖａｎｃｅｄ）、ＬＴＥ（登録商標）（ｌｏｎｇ  ｔｅｒｍ  ｅｖｏｌｕｔｉｏｎ）、Ｗｉ−Ｆｉ（登録商標）（ｗｉｒｅｌｅｓｓ  ｆｉｄｅｌｉｔｙ）等の無線通信を遂行することができ、管理装置２００との通信のためのアプリケーションを設置する。
【００３４】
より具体的には、第１電子装置１５１は携帯装置１００が登録された電子装置であって、携帯装置１００から救助要請信号が受信されると第１電子装置１５１に備えられた気圧センサおよび位置追跡センサを活性化して第１電子装置１５１の位置と関連したセンシングデータを獲得する。そして、第１電子装置１５１は第１電子装置１５１に備えられたカメラ（図示せず）およびマイク（図示せず）のうち少なくとも一つを活性化して外部環境に対する環境データを獲得する。第１電子装置１５１は獲得されたセンシングデータと環境データと救助要請信号に含ませて管理装置２００に伝送する。併せて、第１電子装置１５１は登録された携帯装置１００のバッテリー量をリアルタイムまたは周期的に確認して管理装置２００に伝送する。
【００３５】
また、第１電子装置１５１はアプリケーションを通じて管理装置２００から公知メッセージを受信して表示する。公知メッセージは一般公知と緊急公知を含む。一般公知は第１電子装置１５１を利用する勤労者の勤務日程などに対する公知であり得、緊急公知は現場の特定位置に発生した事故、災害などのイベントに対する公知であり得る。
【００３６】
併せて、携帯装置１００が登録されていない第２電子装置１５２〜第ｎ電子装置１５３は、携帯装置１００とビーコン通信が可能な距離内に位置する時に携帯装置１００から救助要請信号が受信されると、第２電子装置１５２〜第ｎ電子装置１５３にそれぞれ備えられた気圧センサおよび位置追跡センサを活性化して各電子装置の位置と関連したセンシングデータを獲得する。そして第２電子装置１５２〜第ｎ電子装置１５３は、獲得されたセンシングデータを救助要請信号に含ませて管理装置２００に伝送する。併せて、第２電子装置１５２〜第ｎ電子装置１５３は管理装置２００の設定にしたがって救助要請信号受信時に各電子装置に備えられたカメラ（図示せず）およびマイク（図示せず）のうち少なくとも一つを活性化して外部環境に対する環境データを獲得し、獲得した環境データを管理装置２００に伝送してもよい。
【００３７】
管理装置２００は電子装置１５０から受信された救助要請信号に基づいて、携帯装置１００が登録された第１電子装置１５１の現在位置を確認して現場地図データに現在位置を表示する。管理装置２００の主な構成は下記の図２を利用してより具体的に説明する。図２は、本発明の実施例に係る管理装置を示した図面である。
【００３８】
図２を参照すると、本発明に係る管理装置２００は、通信部２１０、入力部２２０、オーディオ処理部２３０、表示部２４０、メモリ２５０および制御部２６０を含むことができる。図示されてはいないが、本発明に係るシステム１０はサーバーを含むことができ、サーバーは電子装置１５０から受信されたセンシングデータを保存し、必要時にセンシングデータを管理装置２００に伝送することができる。
【００３９】
通信部２１０は現場で勤務中の勤労者たちが携帯している電子装置１５０との通信を遂行する。このために、通信部２１０は５Ｇ（５ｔｈ  ｇｅｎｅｒａｔｉｏｎ）、ＬＴＥ−Ａ（ｌｏｎｇ  ｔｅｒｍ  ｅｖｏｌｕｔｉｏｎ−ａｄｖａｎｃｅｄ）、ＬＴＥ（登録商標）（ｌｏｎｇ  ｔｅｒｍ  ｅｖｏｌｕｔｉｏｎ）、Ｗｉ−Ｆｉ（登録商標）（ｗｉｒｅｌｅｓｓ  ｆｉｄｅｌｉｔｙ）等を含む無線通信を遂行することができる。また、本発明に係るシステム１０がサーバーを含む場合、通信部２１０はサーバーとの通信のために有線（ＷＡＮ）通信を遂行してもよい。
【００４０】
入力部２２０は管理装置２００の管理者の入力に対応して入力データを発生させる。入力部２２０はキーボード（ｋｅｙ  ｂｏａｒｄ）、キーパッド（ｋｅｙ  ｐａｄ）、ドームスイッチ（ｄｏｍｅ  ｓｗｉｔｃｈ）、タッチパネル（ｔｏｕｃｈ  ｐａｎｅｌ）、タッチキー（ｔｏｕｃｈ  ｋｅｙ）、マウス（ｍｏｕｓｅ）、メニューボタン（ｍｅｎｕ  ｂｕｔｔｏｎ）等の入力手段を含む。
【００４１】
オーディオ処理部２３０はオーディオ信号を処理する。この時、オーディオ処理部２３０はスピーカー（ＳＰＫ）とマイク（ＭＩＣ）を含む。オーディオ処理部２３０は制御部２６０から出力されるオーディオ信号をスピーカーを通じて再生し、オーディオ処理部２３０はマイクで発生するオーディオ信号を制御部２６０に伝達する。
【００４２】
表示部２４０は管理装置２００の動作による表示データを表示することができる。表示部２４０は液晶ディスプレイ（ＬＣＤ；ｌｉｑｕｉｄ  ｃｒｙｓｔａｌ  ｄｉｓｐｌａｙ）、発光ダイオード（ＬＥＤ；ｌｉｇｈｔ  ｅｍｉｔｔｉｎｇ  ｄｉｏｄｅ）ディスプレイ、有機発光ダイオード（ＯＬＥＤ  ｏｒｇｉｎｉｃ  ＬＥＤ）、ディスプレイ、マイクロ、電子機械システム（ＭＥＭＳ；ｍｉｃｒｏ  ｅｌｅｃｔｒｏ  ｍｅｃｈａｎｉｃａｌ  ｓｙｓｔｅｍｓ）ディスプレイおよび電子ペーター（ｅｌｅｃｔｒｏｎｉｃ  ｐａｐｅｒ）ディスプレイを含む。表示部２４０は入力部２２０と結合されてタッチスクリーン（ｔｏｕｃｈ  ｓｃｒｅｅｎ）で具現され得る。
【００４３】
メモリ２５０は管理装置２００の動作プログラムを保存する。メモリ２５０は携帯装置１００の固有番号、携帯装置１００が登録された第１電子装置１５１の固有番号、携帯装置１００と第１電子装置１５１を所持した勤労者の名前、年齢、性別、血液型、社員番号、電話番号、人的事項、病歴事項、勤労現況などをマッピングして保存する。メモリ２５０は携帯装置１００から送出された救助要請信号が第１電子装置１５１を通じて受信された時刻、救助要請信号受信時に第１電子装置１５１で確認された第１電子装置１５１の位置などを保存することができる。
【００４４】
制御部２６０は現場の安全を管理するためのウェブページを実行するか、現場の安全を管理するためのプログラムを設置する。また、制御部２６０は現場の安全を管理するためのウェブページまたはプログラムのうちいずれか一つと連動可能なアプリケーションを電子装置１５０に提供する。制御部２６０は管理者の入力により該当プログラムを実行し、管理者が管理しようとする現場に対する現場情報を確認する。この時、現場情報は管理者情報、現場開始時刻、終了時刻などを含むことができる。そして、制御部２６０は管理装置２００が設置された位置の気圧を確認して基準高度を設定する。この時、基準高度は携帯装置１００で救助要請信号受信時に携帯装置１００が登録された第１電子装置１５１が位置したところの高度を確認するために設定することができる。
【００４５】
制御部２６０は現場で勤める勤労者をプログラムに登録する。このために、制御部２６０は勤労者が携帯している電子装置と、電子装置に登録された携帯装置を勤労者情報とマッピングして保存する。例えば、現場の管理者は勤労者に携帯装置１００を配布し、勤労者情報に携帯装置１００の固有番号をマッピングする。勤労者は自分が携帯している第１電子装置１５１に携帯装置１００を登録する。これを通じて、制御部２６０は勤労者情報、携帯装置１００情報および第１電子装置１５１情報をマッピングして勤労者情報として登録することができる。
【００４６】
制御部２６０は管理者がプログラムにログインを完了すると、現場に対する地図データを表示部２４０に表示する。制御部２６０は登録が完了した第１電子装置１５１から勤務開始信号が受信されると、第１電子装置１５１を所持した勤労者の勤務記録を開始する。この時、制御部２６０は地図データを表示するとともに、現在現場に勤務中の勤労者の数、携帯装置と連結が失敗したり連結が切れた勤労者の数、現場で救助要請信号が受信された回数および勤労者リストなどを共に表示する。
【００４７】
制御部２６０は管理者の入力により第１電子装置１５１〜第ｎ電子装置１５３に一般公知および緊急公知などに対する通知を伝送する。一般公知は第１電子装置１５１〜第ｎ電子装置１５３それぞれを利用する勤労者の勤務日程などに対する公知であり得、緊急公知は現場の特定位置に発生した事故、災害などのイベントに対する公知であり得る。
【００４８】
また、制御部２６０は現場内に位置した電子装置１５０の位置をリアルタイムまたは周期的に確認して、現場で勤務中の勤労者たちの現在位置を確認することができる。制御部２６０は入力部２２０から特定の勤労者が選択されると、選択された勤労者が携帯している携帯装置１００が登録された第１電子装置１５１の現在位置を確認し、確認された現在位置が危険地域およびイベントが発生した地域であれば、第１電子装置１５１に警告メッセージを伝送することができる。制御部２６０は管理者の入力により少なくとも一つの勤労者に対する勤労現況を確認して勤労現況に対するレポートを作成後に表示部２４０に表示することができる。
【００４９】
また、制御部２６０は第１電子装置１５１〜第ｎ電子装置１５３から周期的またはリアルタイムで各電子装置に登録された携帯装置のバッテリー量を受信する。制御部２６０はバッテリー量を確認して臨界値以下に下がっている携帯装置を所持した勤労者の電子装置に通知メッセージを伝送することができる。
【００５０】
制御部２６０は複数の電子装置１５０のうち少なくとも一つの電子装置から救助要請信号が受信されると、救助要請信号に対応して表示部２４０およびスピーカーのうち少なくとも一つを通じて警報を出力する。制御部２６０は警報を出力しつつ、管理者の携帯電話などの既保存された連絡先に救助要請信号と関連したメッセージを伝送することができる。併せて、制御部２６０は救助要請信号に含まれたセンシングデータの分析を通じて携帯装置１００が登録された第１電子装置１５１の位置を確認し、確認された位置を地図データに表示する。この時、制御部２６０は基準高度の設定時に基準となった気圧値とセンシングデータに含まれた気圧データを比較して第１電子装置１５１の高度を確認する。制御部２６０は確認された高度を地図データに反映した後に表示する。この時、制御部２６０は現場の立面図などに救助要請信号を送出した第１電子装置１５１の位置を表示することができ、確認された高度に基づいて現場の階数を確認して、救助要請信号を送出した第１電子装置１５１の位置をテキスト形態で表示することができる。制御部２６０は地図データに第１電子装置１５１の位置を表示し、携帯装置１００を所持した勤労者に対する情報、該当現場の管理者情報および携帯装置１００を持続的に追跡して常用化されたマップ（例えば、グーグルマップ、ネイバーマップなど）に表示することができる。また、制御部２６０は救助要請信号を送出する前に、第１電子装置１５１の移動経路を確認して移動経路に対するレポートを提供することができる。また、制御部２６０は確認された第１電子装置１５１の位置に基づいて臨界距離内に位置した電子装置を確認する。例えば、制御部２６０は第１電子装置１５１と臨界距離内に位置した電子装置が第２電子装置１５２であれば、第２電子装置１５２に第１電子装置１５１の位置を伝送し、救助要請信号に対する警報通知を伝送する。
【００５１】
制御部２６０は救助要請信号を送出した携帯装置１００と関連した詳細情報を表示部２４０に表示する。この時、詳細情報は第１電子装置１５１が携帯装置１００から送出した救助要請信号が受信される時点に第１電子装置１５１で獲得された環境データであり得る。制御部２６０は第１電子装置１５１から受信された環境データをダウンロードして表示部２４０に表示する。この時、環境データは第１電子装置１５１で獲得された動画データおよび音響データのうち少なくとも一つを含むことができる。これを通じて、管理装置２００の管理者は救助要請信号を送出した携帯装置１００が登録された第１電子装置１５１の現在位置状況を具体的に確認して、より適切な救助戦略を立てることができるため、人命被害および財産被害などを最小化することができる。併せて、本発明の実施例では説明の便宜上、一つの携帯装置１００を例にして説明しているが、必ずしもこれに限定されるものではなく、複数の携帯装置それぞれが電子装置に登録されて動作してもよい。
【００５２】
併せて、本発明の実施例では電子装置１５０に気圧センサと位置追跡センサが備えられるものを例にして説明しているが、気圧センサおよび位置追跡センサは携帯装置１００に備えられ得る。気圧センサと位置追跡センサが携帯装置１００に具備された場合、携帯装置１００はそれぞれのセンサで獲得されたセンシングデータを救助要請信号に含くませて電子装置１５０に送出することができる。
【００５３】
図３は、本発明の実施例に係る現場安全管理方法を説明するためのフローチャートである。
【００５４】
図３を参照すると、３０１段階で携帯装置１００は、外部入力が発生すると、救助要請信号を生成して送出する。この時、外部入力は携帯装置１００の第１ボディー１１０が第２ボディー１２０から分離されることを意味する。３０３段階および３０５段階で携帯装置１００から送出された救助要請信号は、携帯装置１００とビーコン通信が可能な距離に位置した第１電子装置１５１および第２電子装置１５２が受信することができる。本発明の実施例では説明の便宜のために、救助要請信号が第１電子装置１５１と第２電子装置１５２に送出されることを例にして説明しているが、これに限定されるものではない。より具体的には、携帯装置１００はビーコン通信を通じて救助要請信号を送出し、ビーコン通信可能距離に位置した複数の電子装置１５０が救助要請信号を受信することができる。
【００５５】
３０７段階で第１電子装置１５１は、携帯装置１００が登録された電子装置であって、救助要請信号に対応して第１電子装置１５１に備えられた位置追跡センサと気圧センサを活性化してセンシングデータを獲得する。この時、センシングデータは位置追跡センサと気圧センサそれぞれで獲得された位置データと気圧データを含む。３０９段階で第１電子装置１５１は、第１電子装置１５１に備えられたカメラ（図示せず）およびマイク（図示せず）のうち少なくとも一つを活性化する。第１電子装置１５１は活性化したカメラおよびマイクを利用して、救助要請信号が受信された時点の動画データおよび音響データのうち少なくとも一つの環境データを獲得する。３１１段階で第１電子装置１５１は、センシングデータおよび環境データを救助要請信号に含ませて管理装置２００に伝送する。
【００５６】
また、３１３段階で第２電子装置１５２は、携帯装置１００が登録された電子装置ではないものの、救助要請信号に対応して第２電子装置１５２に備えられた位置追跡センサと気圧センサを活性化してセンシングデータを獲得する。３１５段階で第２電子装置１５２は、獲得したセンシングデータを救助要請信号に含ませて管理装置２００に伝送する。この時、第２電子装置１５２は管理装置２００の設定により救助要請受信時に第２電子装置１５２に備えられたカメラ（図示せず）およびマイク（図示せず）のうち少なくとも一つを活性化して獲得された環境データを管理装置２００に伝送してもよい。
【００５７】
３１７段階で管理装置２００は、第１電子装置１５１で受信された救助要請信号に基づいて第１電子装置１５１を所持した勤労者の位置（以下、第１電子装置１５１の位置という）を確認する。より具体的には、管理装置２００は位置データに基づいて第１電子装置１５１の位置を確認することができ、気圧データに基づいて第１電子装置１５１の高度を確認することができる。このために、管理装置２００は基準高度を設定する。基準高度は管理装置２００が設置された位置の気圧を測定して設定され得、管理装置２００の設置位置の気圧と第１電子装置１５１で獲得された気圧データを比較して第１電子装置１５１の高度を確認することができる。
【００５８】
併せて、管理装置２００は第２電子装置１５２からセンシングデータが含まれた救助要請信号を受信するものの、管理装置２００が第１電子装置１５１との通信が正常に遂行される場合には、第２電子装置１５２から受信された救助要請信号を無視する。しかし、管理装置２００が第１電子装置１５１と通信が正常に遂行されない場合には、第２電子装置１５２から受信された救助要請信号に含まれたセンシングデータに基づいて第１電子装置１５１の位置を概略的に確認することができる。より具体的には、管理装置２００は第２電子装置１５２が携帯装置１００から送出された救助要請信号を受信したので、第２電子装置１５２の位置でビーコン通信が可能な距離内に携帯装置１００を所持した勤労者が位置するものと確認することができる。
【００５９】
３１９段階で管理装置２００は、確認された第１電子装置１５１の位置および高度に基づいて現場地図データに第１電子装置１５１の位置を表示し、３２１段階を遂行する。３２１段階で管理装置２００は、管理装置２００を管理する管理者の入力により第１電子装置１５１と関連した詳細情報を表示する。引き続き、３２３段階で管理装置２００は、確認された第１電子装置１５１の位置に基づいて臨界距離内に位置した電子装置が第２電子装置１５２であることを確認し、確認された第２電子装置１５２に携帯装置１００を所持した勤労者が救助要請信号を要請したことを通知するメッセージを伝送する。このために、管理装置２００は第２電子装置１５２に設置されたアプリケーションを通じて第２電子装置１５２の位置を確認することができる。３２５段階で第２電子装置１５２は、受信したメッセージに基づいて警報を出力する。
【００６０】
図４は本発明の実施例に係る管理装置で現場安全管理を遂行する方法を説明するためのフローチャートである。
【００６１】
図４を参照すると、４０１段階で制御部２６０は、携帯装置１００および第１電子装置１５１の登録必要の有無を確認する。４０１段階の確認結果、登録が必要であれば制御部２６０は４０３段階を遂行して登録を遂行し、登録が完了した状態であれば４０５段階を遂行する。より具体的には、制御部２６０は管理装置２００で提供するアプリケーションを第１電子装置１５１に設置できる設置リンクなどを第１電子装置１５１に伝送する。アプリケーションを設置した第１電子装置１５１を使う勤労者はアプリケーションを通じて現場情報、勤労者情報を入力し、携帯装置１００との登録を遂行する。第１電子装置１５１は登録が完了した携帯装置１００の固有番号などを管理装置２００に伝送して登録を完了する。これを通じて勤労者は、勤労者が使用する第１電子装置１５１の情報と、第１電子装置１５１と登録された携帯装置１００の情報を管理装置２００に登録する。
【００６２】
次いで、４０５段階で制御部２６０は、現場地図データを表示部２４０に表示し、４０７段階を遂行する。４０７段階で制御部２６０は、携帯装置１００を所持した勤労者の勤務記録を開始する。この時、制御部２６０は地図データを表示するとともに、現在現場に勤務中の勤労者の数、携帯装置と電子装置の連結が失敗したり連結が切れて管理装置２００で確認されない勤労者の数、現場で救助要請信号が受信された回数および勤労者リストなどを共に表示する。これを通じて、管理装置２００の管理者は現場に勤める勤労者の勤務状況および現場状況を確認することができる。
【００６３】
４０９段階で制御部２６０は、複数の電子装置１５０のうち少なくとも一つの電子装置から救助要請信号が受信されると４１１段階を遂行し、救助要請信号が受信されないと４１９段階を遂行する。４１１段階で制御部２６０は、救助要請信号に対応して表示部２４０およびスピーカーのうち少なくとも一つを通じて警報を出力し、４１３段階を遂行する。この時、制御部２６０は管理者の携帯電話などの既保存された連絡先に救助要請信号と関連したメッセージを伝送することができる。
【００６４】
４１３段階で制御部２６０は、救助要請信号に含まれたセンシングデータの分析を通じて携帯装置１００が登録された第１電子装置１５１の位置を確認し、確認された位置を地図データに表示する。この時、制御部２６０は基準高度の設定時に基準となった気圧値とセンシングデータに含まれた気圧データを比較して第１電子装置１５１の高度を確認する。制御部２６０は確認された高度を地図データに反映した後表示する。この時、制御部２６０は現場の立面図に救助要請信号を受信した第１電子装置１５１の位置を表示することができ、確認された高度に基づいて救助要請信号を受信した第１電子装置１５１が位置した現場の階数を確認してテキスト形態で表示することができる。制御部２６０は地図データに第１電子装置１５１の位置を表示し、第１電子装置１５１を所持した勤労者に対する情報、該当現場の管理者情報および第１電子装置１５１を持続的に追跡して常用化されたマップ（例えば、グーグルマップ、ネイバーマップなど）に表示することができる。また、制御部２６０は救助要請信号を送出する前に第１電子装置１５１の移動経路を確認して移動経路に対するレポートを提供することができる。また、制御部２６０は確認された第１電子装置１５１の位置に基づいて臨界距離内に位置した電子装置を確認する。例えば、制御部２６０は第１電子装置１５１と臨界距離内に位置した電子装置が第２電子装置１５２であれば、第２電子装置１５２に第１電子装置１５１の位置および警報通知を伝送する。これを通じて、第１電子装置１５１を所持した勤労者周辺で勤務中の勤労者がより迅速に第１電子装置１５１を所持した勤労者を救助することができる。
【００６５】
４１５段階で制御部２６０は、携帯装置１００と関連した詳細情報を確認するための確認信号が受信されると４１７段階を遂行する。４１７段階で制御部２６０は、携帯装置１００が登録された第１電子装置１５１で獲得された環境データをダウンロードして表示することができる。このために、第１電子装置１５１は携帯装置１００から救助要請信号が受信された時点に第１電子装置１５１に備えられたカメラおよびマイクのうち少なくとも一つを活性化して環境データを獲得し、獲得された環境データを管理装置２００に伝送する。
【００６６】
４１９段階で制御部２６０は該当機能を遂行する。この時、該当機能は管理者が管理装置２００を利用して現場および勤労者を管理するための機能を含む。より具体的には、制御部２６０は管理者の入力により同じ現場に勤務する勤労者が携帯している第１電子装置１５１〜第ｎ電子装置１５３に設置されたアプリケーションを通じて、一般公知および緊急公知などに対する通知を伝送する。一般公知は第１電子装置１５１〜第ｎ電子装置１５３それぞれを利用する勤労者の勤務日程などに対する公知であり得、緊急公知は現場の特定位置に発生した事故、災害などのイベントに対する公知であり得る。
【００６７】
また、制御部２６０は現場内に勤務中の勤労者のうち少なくとも一つの勤労者の現在位置を確認することができ、勤労者の現在位置が危険地域およびイベントが発生した地域であれば該当地域に進入した勤労者の電子装置に警告メッセージを伝送することができる。制御部２６０は管理者の入力により少なくとも一つの勤労者に対する勤労現況を確認して勤労現況に対するレポートを作成後表示部２４０に表示することができる。
【００６８】
また、制御部２６０は第１電子装置１５１〜第ｎ電子装置１５３から周期的またはリアルタイムで各電子装置に登録された携帯装置のバッテリー量を受信する。制御部２６０はバッテリー量を確認して臨界値以下に下がっている携帯装置を所持した勤労者の電子装置に通知メッセージを伝送することができる。
【００６９】
図５〜図８は本発明の実施例に係る管理装置で表示される画面例示図である。
【００７０】
図５〜図８を参照すると、制御部２６０は入力部２２０から受信したＩＤとパスワードに基づいて管理者認証が完了すると、図５のようなメイン画面５００を表示部２４０に表示する。メイン画面５００は大きく地図データが表示される第１領域５１０、現場情報が表示される第２領域５２０、勤労者情報が表示される第３領域５３０で具現され得る。第１領域５１０には現場地図データが表示され得、本発明の実施例では平面図が図示されるが、救助要請信号発生時に携帯装置１００の位置をより正確に表示するために、現場の立面図が平面図とともに表示され得る。第２領域５２０にはアプリケーションを通じて勤務開始信号を入力した勤労者の数、勤務開始信号を入力した後に携帯装置との連結が確認されない勤労者の数、救助要請信号が発生した回数をそれぞれ表示するボタン５２１、５２２、５２３が具現される。この時、制御部２６０は入力部２２０から各ボタン５２１、５２２、５２３のうちいずれか一つのボタンが選択されると、該当ボタンに表示されたデータの詳細データを第３領域５３０に表示する。例えば、制御部２６０は入力部２２０で第１ボタン５２１が選択されると、現在連結中の勤労者リストを第３領域５３０に表示する。
【００７１】
制御部２６０は、図５のようなメイン画面５００を表示しているうちに電子装置１５０から救助要請信号が受信されると、図６のように救助要請信号が受信されたことを通知するメッセージウィンドウ６５０をメイン画面５００に表示する。より具体的には、第１電子装置１５１と登録された携帯装置１００を使う勤労者が携帯装置１００の第１ボディー１１０と第２ボディー１２０を分離すると、携帯装置１００は救助要請信号を生成して創出する。携帯装置１００から送出する救助要請信号を受信できる範囲内に位置した電子装置例えば、第１電子装置１５１および第２電子装置１５２が救助要請信号を受信すると、第１電子装置１５１は第１電子装置１５１に備えられた気圧センサおよび位置追跡センサを活性化して第１電子装置１５１の位置に対するセンシングデータを獲得する。また、第１電子装置１５１は第１電子装置１５１に備えられたカメラおよびマイクのうち少なくても一つを活性化して、第１電子装置１５１周辺に対する環境データを獲得する。第１電子装置１５１はセンシングデータと環境データを救助要請信号に含ませて管理装置２００に伝送する。また、携帯装置１００と登録されていないが、携帯装置１００から救助要請信号を受信した第２電子装置１５２は第２電子装置１５２に備えられた気圧センサおよび位置追跡センサを活性化して、第２電子装置１５２の位置に対するセンシングデータを獲得し、センシングデータを救助要請信号に含ませて管理装置２００に伝送する。
【００７２】
制御部２６０はこのような救助要請信号が受信されると、メッセージウィンドウ６５０を表示する。メッセージウィンドウ６５０に具現された確認ボタンに入力が感知されると、制御部２６０は図７のように、第１領域７１０には図示されていた地図データが第１電子装置１５１の現在位置７１１を基準として移動および拡大して表示する。併せて、第２領域７２０には第１電子装置１５１を所持した勤労者の情報、該当現場の管理者情報および発生位置が表示され、第３領域７３０には常用化されたマップ（例えば、グーグルマップ、ネイバーマップなど）に第１電子装置１５１の位置を追跡して表示する。制御部２６０は録画ファイルダウンロードボタン７４０に入力が発生すると、図８の（ａ）のように録画されたファイルのリスト８１０を表示する。制御部２６０は該当リスト８１０からいずれか一つの項目が選択されると、図８の（ｂ）のように選択された項目に対する録画ファイルを再生する。この時、録画ファイルは動画データであり得、映像はなく音響だけが録音された音響データであり得る。
【００７３】
図９は、本発明の他の実施例に係る現場安全管理方法を説明するためのフローチャートである。
【００７４】
図９を参照すると、９０１段階で携帯装置１００は外部入力が発生すると、９０３段階で携帯装置１００はセンシングデータを獲得する。この時、センシングデータは携帯装置１００に備えられた位置追跡センサと気圧センサそれぞれで獲得された位置データと気圧データを含む。９０５段階および９０７段階で携帯装置１００は、発生した外部入力により発生した救助要請信号を送出する。この時、携帯装置１００は救助要請信号にセンシングデータを含ませて送出する。本発明の実施例では説明の便宜のために、救助要請信号を第１電子装置１５１と第２電子装置１５２に送出することを例にして説明しているが、これに限定されるものではない。より具体的には、携帯装置１００はビーコン通信を通じて救助要請信号を送出し、ビーコン通信可能距離に位置した複数の電子装置１５０が救助要請信号を受信することができる。
【００７５】
９０９段階で第１電子装置１５１は携帯装置１００が登録された電子装置であって、救助要請信号に対応して第１電子装置１５１に備えられたカメラ（図示せず）およびマイク（図示せず）のうち少なくとも一つを活性化する。第１電子装置１５１は活性化したカメラおよびマイクを利用して、救助要請信号が受信された時点の動画データおよび音響データのうち少なくとも一つの環境データを獲得する。９１１段階で第２電子装置１５２は救助要請信号を管理装置２００に伝送する。この時、第２電子装置１５２は携帯装置１００が登録された電子装置ではないので別途の環境データを獲得せず、救助要請信号のみを管理装置２００に伝送することができる。また、第２電子装置１５２は管理装置２００の設定により救助要請受信時に第２電子装置１５２に備えられたカメラ（図示せず）およびマイク（図示せず）のうち少なくとも一つを活性化して、獲得された環境データを管理装置２００に伝送してもよい。９１３段階で第１電子装置１５１は救助要請信号および環境データを管理装置２００に伝送する。
【００７６】
９１５段階で管理装置２００は、第１電子装置１５１と第２電子装置１５２で受信された救助要請信号に基づいて携帯装置１００の位置を確認する。より具体的には、管理装置２００は位置データに基づいて携帯装置１００の位置を確認することができ、気圧データに基づいて携帯装置１００の高度を確認することができる。このために、管理装置２００は基準高度を設定する。基準高度は管理装置２００が設置された位置の気圧を測定して設定され得、管理装置２００の設置位置の気圧と携帯装置１００の気圧を比較して携帯装置１００の高度を確認することができる。
【００７７】
９１７段階で管理装置２００は、確認された携帯装置１００の位置および高度に基づいて現場地図データに携帯装置１００の位置を表示し、９１９段階を遂行する。９１９段階で管理装置２００は、管理装置２００を管理する管理者の入力により携帯装置１００と関連した詳細情報を表示する。引き続き、９２１段階で管理装置２００は、確認された携帯装置１００の位置に基づいて臨界距離内に位置した電子装置が第２電子装置１５２であることを確認し、確認された第２電子装置１５２に携帯装置１００を所持した勤労者が救助要請信号を要請したことを通知するメッセージを伝送する。このために、管理装置２００は第２電子装置１５２に設置されたアプリケーションを通じて第２電子装置１５２の位置を確認することができる。９２３段階で第２電子装置１５２は受信されたメッセージに基づいて警報を出力する。
【００７８】
本明細書と図面に開示された本発明の実施例は、本発明の技術内容を容易に説明し本発明の理解を助けるために特定の例を提示したものに過ぎず、本発明の範囲を限定しようとするものではない。したがって、本発明の範囲はここに開示された実施例の他にも、本発明の技術的思想に基づいて導き出されるすべての変更または変形された形態も本発明の範囲に含まれるものと解釈されるべきである。
【図１】
2022002070.tif 000003
【図２】
2022002070.tif 000004
【図３】
2022002070.tif 000005
【図４】
2022002070.tif 000006
【図５】
2022002070.tif 000007
【図６】
2022002070.tif 000008
【図７】
2022002070.tif 000009
【図８】
2022002070.tif 000010
【図９】
2022002070.tif 000011